(57)【要約】【課題】既存の腕金支持金具を改造することなく既存の腕金支持金具に簡単に取付け使用することができる、腕金の回転を防止するように腕金支持金具を補強する腕金支持金具の補強金具を提供する。【解決手段】腕金を片持ち支持し電柱の外周面に固定される支持体５３と、前記支持体５３を前記電柱の外周面に固定する固定バンド７７とを備える腕金支持金具５１を補強する腕金支持金具の補強金具１であって、電柱に前記固定バンド７７を介して固定された前記支持体５３に対して着脱可能に係止するフック１１と、前記フック１１に取付けられ、前記電柱の全周を包囲するように電柱に締付けられることで前記腕金支持金具５１の回転を防止する補強バンド２５と、を備える。【選択図】図２
2015046998.tif 000002
【特許請求の範囲】
【請求項１】
腕金を片持ち支持し電柱の外周面に固定される支持体と、前記支持体を前記電柱の外周面に固定する固定バンドとを備える腕金支持金具を補強する腕金支持金具の補強金具であって、
電柱に前記固定バンドを介して固定された前記支持体に対して着脱可能に係止するフックと、
前記フックに取付けられ、前記電柱の全周を包囲するように電柱に締付けられることで前記腕金支持金具の回転を防止する補強バンドと、
を備えることを特徴とする腕金支持金具の補強金具。
【請求項２】
前記補強バンドは、前記支持体の下端に接するように取付けられ、電柱に固定された前記腕金支持金具がずり下がることを防止することを特徴とする請求項１に記載の腕金支持金具の補強金具。
【請求項３】
前記腕金支持金具は、前記支持体が電柱の外周面に沿って湾曲し電柱の外周面に当接する左右に配置された当接部と、前記左右の当接部を連結する連結部とを有し、前記支持体を前記固定バンドを介して電柱に固定したとき、前記連結部が電柱の外周面に接することなく、前記連結部と電柱の外周面との間には隙間Ｌが生じるように形成されており、
前記フックは、フックの一部が前記連結部と電柱の外周面との間の隙間Ｌに嵌り込むように前記連結部に係止することを特徴とする請求項１又は２に記載の腕金支持金具の補強金具。
【請求項４】
前記腕金支持金具は、前記支持体が一対の略Ｌ字状の支持片と、互いの一片が平行にかつ間隔を設けた状態で配置された前記一対の支持片を連結する上下に配置された上連結板及び下連結板と、を有し、前記一対の支持片の他片が、前記当接部を形成し、前記上連結板及び下連結板が前記連結部を形成し、
前記フックは、ヘアピン状又はコ字状の係止部を有し、
前記フックの係止部が前記下連結板に引掛けられ係止することを特徴とする請求項３に記載の腕金支持金具の補強金具。
【請求項５】
前記腕金支持金具は、さらに前記一対の支持片の前記一片の間に取り付けられ、前記腕金が嵌り込む腕金取付座を形成する仕切板を備え、
前記腕金が、基端部を前記腕金取付座に嵌め入れ、ボルト止めされていることを特徴とする請求項４に記載の腕金支持金具の補強金具。
【請求項６】
前記腕金支持金具が、高圧カットアウト支持アーム用の腕金支持金具であることを特徴とする請求項１から５のいずれか１項に記載の腕金支持金具の補強金具。
【請求項７】
腕金を片持ち支持し電柱の外周面に固定される支持体、及び前記支持体と連結し前記支持体を前記電柱の外周面に固定する固定バンドを備える腕金支持金具と、
前記請求項１から６のいずれか１項に記載の腕金支持金具の補強金具と、
を備えることを特徴とする腕金支持装置。
【発明の詳細な説明】
【技術分野】
【０００１】
本発明は、腕金の回転を防止するように腕金支持金具を補強する補強金具及び腕金支持装置に関する。
【背景技術】
【０００２】
電柱には、高圧配電線、電圧を降圧する柱上変圧器、柱上変圧器を保護する高圧カットアウト、低圧配電線等が、腕金及び装柱金具を介して電柱に取付けられている。腕金（アーム）及び装柱金具には、種々の形態のものが使用されている。図７は、高圧カットアウトを支持する高圧カットアウト支持アームの一例である。
【０００３】
図７に示す高圧カットアウト支持アーム９１は、高圧カットアウト９９を支持するアーム９５とアーム９５を電柱１００に取付けるための装柱金具９２とで構成されている。アーム９５は、主アーム９７と副アーム９８とを有し、主アーム９７の先端部に副アーム９８が直交するように取付けられている。主アーム９７及び副アーム９８は角パイプからなり、副アーム９８に高圧カットアウト９９が取付けられている。主アーム９７の基端部が装柱金具９２に固定され、装柱金具９２が電柱１００に固定される。
【０００４】
装柱金具９２は、電柱１００の外周面１０２に当接する、電柱の外周面１０２と同じ曲率半径を有する当接部を有し、当接部の中央に主アーム取付部が設けられた支持体９３と、支持体９３を電柱１００に固定する固定バンド９４とで構成されている。主アーム９７は、基端部を主アーム取付部に挿入し、２本のボルトで支持体９３に固定されている。
【０００５】
以上からなる高圧カットアウト支持アーム９１は、強風の影響で回転し、電柱１００に対する取付け位置（角度）が変わることがある。高圧カットアウト支持アーム９１の位置が変わると、高圧カットアウト９９に接続する高圧引下線が引っ張られ、断線し、広範囲の停電事故に至る場合もある。
【０００６】
上記高圧カットアウト支持アームに限らず、電柱に取付けられたアームが強風の影響で回転することはこれまでにも指摘されており、その対策案も提案されている。例えば特許文献１には、電柱に取付けられた腕金が強風で回転することを防止すべく、腕金支持部を補強する金具が提案されている。この補強金具は、台形状の切欠き部を有するチャネル型の補強金具本体を、電柱を隔てて腕金の反対側にセットし、腕金と補強金具本体とを長ボルトで固定することで、腕金の電柱への押し付け力を増強し、腕金の回転を止めようとするものである。
【０００７】
また電柱に縫いボルトで固定されている腕金を補強する方法として、半円状の当て金を電柱を隔てて腕金の反対側にセットし、腕金と当て金とをボルトとワイヤとで固定する方法が提案されている（例えば特許文献２参照）。また上記高圧カットアウト支持アームのような槍出しアームの回転を防止すべく、アームを支持する連結枠体を上下２本のバンドで電柱に固定し、電柱に穿設した孔に挿入するボルトを一方のバンドに取り付けた腕金支持装置がある（例えば特許文献３参照）。
【先行技術文献】
【特許文献】
【０００８】
【特許文献１】特開２０１０−２６８６５３号公報
【特許文献２】特開２００８−７２８５３号公報
【特許文献３】特開２０１３−２７２６４号公報
【発明の概要】
【発明が解決しようとする課題】
【０００９】
現在、高圧カットアウト支持アームの位置のずれ（回転）を防止可能な、柱上変圧器を固定する変圧器バンドと高圧カットアウト支持アームとが一体化された製品も販売されているが、既存の高圧カットアウト支持アームを当該製品に取替えるには、多大なコストがかかる。
【００１０】
高圧カットアウト支持アームの位置がずれる問題に対して、特許文献１及び特許文献２に記載の補強金具の技術を応用することが考えられる。しかしながら特許文献１及び特許文献２に記載の補強金具及び当て金の電柱への接触面積は、構造上、電柱の外周の半分以下とせざるを得ず、結果、補強金具及び当て金の電柱への接触面積が小さく、補強力が十分とは言い難い。また、図７に示す高圧カットアウト支持アームに、特許文献１及び特許文献２に記載の補強金具を転用することは、形態上の点から難しい。
【００１１】
特許文献３に記載の腕金支持装置は、電柱に穿設した孔に挿入され回転を防止するボルトを備えるため高圧カットアウト支持アームの位置がずれる問題に対して、有用であるが、この装置を使用するには回転を防止するボルトを挿入するための孔を電柱に穿設する必要があり、既設の腕金支持金具に適用することは容易ではない。
【００１２】
本発明の目的は、既存の腕金支持金具を改造することなく既存の腕金支持金具に簡単に取付け使用することができる、腕金の回転を防止するように腕金支持金具を補強する腕金支持金具の補強金具及び腕金支持装置を提供することである。
【課題を解決するための手段】
【００１３】
本発明は、腕金を片持ち支持し電柱の外周面に固定される支持体と、前記支持体を前記電柱の外周面に固定する固定バンドとを備える腕金支持金具を補強する腕金支持金具の補強金具であって、電柱に前記固定バンドを介して固定された前記支持体に対して着脱可能に係止するフックと、前記フックに取付けられ、前記電柱の全周を包囲するように電柱に締付けられることで前記腕金支持金具の回転を防止する補強バンドと、を備えることを特徴とする腕金支持金具の補強金具である。
【００１４】
本発明の腕金支持金具の補強金具は、電柱に固定された腕金支持金具に対して後から補強バンドを取付けることができるので使い勝手がよい。補強バンドは、支持体に対してフックを介して取付けられるので腕金支持金具を改造する必要がなく、また簡単に取付け使用することができる。また補強バンドは、電柱の全周を包囲するように電柱に取付けられるので、電柱への接触面積も広く大きな締付力が得られ、腕金支持金具の回転を十分に防止することができる。さらに本発明の腕金支持金具の補強金具は、構造が簡単であり、市販の部材を組合せて簡単に又安価に製造することができる。
【００１５】
本発明において、前記補強バンドは、前記支持体の下端に接するように取付けられ、電柱に固定された前記腕金支持金具がずり下がることを防止することを特徴とする。
【００１６】
本発明によれば、補強バンドは、電柱に固定された腕金支持金具がずり下がることも防止できるので使い勝手がよく腕金支持金具の補強金具として優れる。
【００１７】
また本発明において、前記腕金支持金具は、前記支持体が電柱の外周面に沿って湾曲し電柱の外周面に当接する左右に配置された当接部と、前記左右の当接部を連結する連結部とを有し、前記支持体を前記固定バンドを介して電柱に固定したとき、前記連結部が電柱の外周面に接することなく、前記連結部と電柱の外周面との間には隙間Ｌが生じるように形成されており、前記フックは、フックの一部が前記連結部と電柱の外周面との間の隙間Ｌに嵌り込むように前記連結部に係止することを特徴とする。
【００１８】
また本発明において、前記腕金支持金具は、前記支持体が一対の略Ｌ字状の支持片と、互いの一片が平行にかつ間隔を設けた状態で配置された前記一対の支持片を連結する上下に配置された上連結板及び下連結板と、を有し、前記一対の支持片の他片が、前記当接部を形成し、前記上連結板及び下連結板が前記連結部を形成し、前記フックは、ヘアピン状又はコ字状の係止部を有し、前記フックの係止部が前記下連結板に引掛けられ係止することを特徴とする。
【００１９】
本発明によれば、電柱の外周面との間に隙間Ｌが形成される支持体の下連結板にフックを引掛け係止するので、腕金支持金具を改造する必要もなく、電柱に固定された状態の腕金支持金具に対しても簡単かつ確実に本発明の腕金支持金具の補強金具を取付けることができる。
【００２０】
また本発明において、前記腕金支持金具は、さらに前記一対の支持片の前記一片の間に取り付けられ、前記腕金が嵌り込む腕金取付座を形成する仕切板を備え、前記腕金が、基端部を前記腕金取付座に嵌め入れ、ボルト止めされていることを特徴とする。
【００２１】
また本発明において、前記腕金支持金具が、高圧カットアウト支持アーム用の腕金支持金具であることを特徴とする。
【００２２】
本発明の腕金支持金具の補強金具は、高圧カットアウトを支持する腕金の腕金支持金具の回転防止に好適に使用するができる。
【００２３】
また本発明は、腕金を片持ち支持し電柱の外周面に固定される支持体、及び前記支持体と連結し前記支持体を前記電柱の外周面に固定する固定バンドを備える腕金支持金具と、前記腕金支持金具の補強金具と、を備えることを特徴とする腕金支持装置である。
【発明の効果】
【００２４】
本発明によれば、腕金の回転を防止するように腕金支持金具を補強することができる。このとき既存の腕金支持金具を改造することなく既存の腕金支持金具に対して、安全にまた簡単に取付け使用することができる。また本発明の腕金支持装置を使用すれば、腕金の回転を防止又は抑制することができる。
【図面の簡単な説明】
【００２５】
【図１】本発明の第１実施形態である腕金支持金具の補強金具１の斜視図である。
【図２】本発明の第１実施形態である腕金支持金具の補強金具１を腕金支持金具５１に装着した状態を示す図である。
【図３】電柱１００に固定された腕金支持金具５１に補強金具１を取付けた状態を示す側面図である。
【図４】本発明の第１実施形態である腕金支持金具の補強金具１で補強される腕金支持金具５１の正面図である。
【図５】本発明の第１実施形態である腕金支持金具の補強金具１で補強される腕金支持金具５１の平面図である。
【図６】本発明の第２実施形態である腕金支持装置の補強金具２の斜視図である。
【図７】従来の電柱１００に装柱された高圧カットアウト支持アーム９１の斜視図である。
【発明を実施するための形態】
【００２６】
図１は、本発明の第１実施形態である腕金支持金具の補強金具１の斜視図、図２は、腕金支持金具の補強金具１を腕金支持金具５１に装着した状態を示す図、図３は、電柱１００に固定された腕金支持金具５１に腕金支持金具の補強金具１を取付けた状態を示す側面図である。図４及び図５は、腕金支持金具の補強金具１で補強される腕金支持金具５１の正面図及び平面図である。
【００２７】
腕金支持金具の補強金具１（以下、単に補強金具１と記す）は、電柱１００に固定された腕金支持金具５１が強風等で回転しないように腕金支持金具５１を補強するためのものである。補強対象となる腕金支持金具５１の構成を説明した後に、補強金具１の構成を説明する。腕金支持金具５１は、図７に示す装柱金具９２と同一である。
【００２８】
腕金支持金具５１は、高圧カットアウト支持アームのような腕金５２を片持ち支持し電柱の外周面１０２に固定するためのものであり、腕金５２を片持ち支持する支持体５３と、支持体５３を電柱の外周面１０２に固定する固定バンド７７とを備える。
【００２９】
支持体５３は、左右一対の支持片５７ａ、５７ｂと該支持片５７ａ、５７ｂを連結する連結板６５、６９とを有する。左右一対の支持片５７ａ、５７ｂは、左右対称の形状からなり、平面視において略Ｌ字状である。支持片の一片５９ａ、５９ｂは、側面視において台形状を有する平板であり、他片６１ａ、６１ｂは、電柱の外周面１０２にぴったりと接触するように平面視において湾曲した曲板である。２つの支持片５７ａ、５７ｂは、互いの一片５９ａ、５９ｂが平行となるようにかつ間隔を隔て配置され、この２つの支持片５７ａ、５７ｂを連結板６５、６９が連結する。２つの支持片の一片５９ａ、５９ｂの間隔は、腕金５２の幅と同じである。
【００３０】
連結板６５、６９は、２つの支持片の一片５９ａ、５９ｂの上部を連結する上連結板６５、２つの支持片の一片５９ａ、５９ｂの下部を連結する下連結板６９からなる。上連結板６５及び下連結板６９とも矩形形状の平板である。上連結板６５は、２つの支持片５７ａ、５７ｂを真上から見た状態（平面視）で、支持片の一片５９ａ、５９ｂの基端（曲板側）から僅かに先端部側に寄った位置に取付けられている。下連結板６９も平面視において上連結板６５と同じ位置に取付けられている。このため固定バンド７７を介して支持体５３を電柱１００に取付けると、平面視において、支持片の他片６１ａ、６１ｂは、電柱１００に隙間なく接触するが、上連結板６５及び下連結板６９と電柱の外周面１０２との間には隙間Ｌが形成される。
【００３１】
さらに支持体５３には、角パイプ形状の腕金５２を取付けるための腕金取付座７０が中央部に設けられている。腕金取付座７０は、上連結板６５の下辺６７に接し、支持片の一片５９ａ、５９ｂの先端部側に伸びる上仕切板７３と、上仕切板７３と腕金５２の高さ分を隔てて取付けられた下仕切板７５とで、支持片の一片５９ａ、５９ｂの間を仕切る形で形成されている。上仕切板７３及び下仕切板７５は、支持片の一片５９ａ、５９ｂに溶接付けされている。
【００３２】
上仕切板７３及び下仕切板７５で仕切られた空間は、正面視において正方形であり、ここの腕金取付座７０に腕金５２が差込まれ固定される。上仕切板７３及び下仕切板７５で仕切られた空間を形成する支持片の一片５９ａ、５９ｂには、腕金５２をボルト止めするためのボルト挿通孔（図示省略）が設けられている。腕金５２にもボルト挿通孔が設けられており、腕金５２を腕金取付座７０に差込み、支持片の一片５９ａ、５９ｂのボルト挿通孔及びボルト挿通孔にボルト７１を差込み、ナット７２で固定することで、腕金５２を支持体５３に固定することができる。
【００３３】
固定バンド７７は、バンド径を可変可能な自在バンドであり、左右一対の半円状の帯状のバンド本体７９ａ、７９ｂと該バンド本体７９ａ、７９ｂを締付ける締付けボルト８５からなる。それぞれのバンド本体７９ａ、７９ｂは、一端部が折り曲げられ締付けボルト８５を取り付けるボルト取付部８１ａ、８１ｂが形成されている。ボルト取付部８１ａ、８１ｂには、締付けボルト８５を挿通させるための挿通孔（図示省略）が設けられている。
【００３４】
またそれぞれのバンド本体７９ａ、７９ｂの他端部には、支持片５７ａ、５７ｂに係止するフック８３ａ、８３ｂが設けられている。支持片５７ａ、５７ｂには、該フック８３ａ、８３ｂが係止する係止孔６３ａ、６３ｂが設けられており、バンド本体７９ａ、７９ｂはフック８３ａ、８３ｂを介して支持片５７ａ、５７ｂに連結される。フック８３ａ、８３ｂは、係止孔６３ａ、６３ｂに嵌り込み係止するが、固定されていないためバンド本体７９ａ、７９ｂは、フック８３ａ、８３ｂを起点として回動することができる。
【００３５】
以上からなる腕金支持金具５１を使用する際は、バンド本体７９ａ、７９ｂを、電柱１００を包囲するように取付け、締付ボルト８５で一対のバンド本体７９ａ、７９ｂを締付け、支持体５３を電柱１００に固定する。このとき、支持片の他片６１ａ、６１ｂは、電柱１００に隙間なく接触するが、上連結板６５及び下連結板６９と電柱の外周面１０２との間には、隙間Ｌがある。
【００３６】
補強金具１は、下連結板６９と電柱の外周面１０２との間に形成される隙間Ｌを利用して腕金支持金具５１に取付けられ、腕金支持金具５１が回転しないように補強する金具であり、下連結板６９に係止するフック１１と、フック１１に取付けられ腕金支持金具５１の回転を防止する補強バンド２５とを備える。
【００３７】
フック１１は、金属製の板材からなり、上部がヘアピン状に折り曲げられ係止部１３が形成されている。下部は、補強バンド２５との連結部１９となっている。フック１１を構成する板材の厚さは、下連結板６９と電柱の外周面１０２との間に形成される隙間Ｌと略同一であり、係止部の折返し部１５が前記隙間Ｌにほぼ隙間なく嵌り込む。フック１１を構成する板材の幅は、下連結板６９の幅と略同一であり、係止部の折返し部１５が前記隙間Ｌにほぼ隙間なく嵌り込む。このため電柱１００に取付けられた支持体５３にフック１１を引掛けると、フック１１は、ぐらつかず支持体５３とフック１１とが一体化される。
【００３８】
係止部の折返し部１５の長さは、特に限定されず、下連結板６９にしっかりと係止することができる長さがあればよい。不必要に長くすると、電柱１００に取り付けた支持体５３にフック１１を係止するとき、フック１１の係止部１３が下仕切板７５にぶつかり嵌め入れることができないので、不必要に長くすべきではない。
【００３９】
フック１１の中央部には、側面視において折返し部１５側に僅かに屈曲した屈曲部１７が設けられ、この屈曲部１７の下側が連結部１９となっている。連結部１９は、折返し部１５のほぼ真下に位置する。屈曲部１７を設けることで連結部１９が電柱１００側に近づき、結果、連結部１９に取付ける補強バンド２５も電柱１００側に近づき、補強バンド２５を電柱１００にしっかりと固定することができる。
【００４０】
連結部１９は、中央部に３個のボルト挿通孔２１を有する。このボルト挿通孔２１のいずれか１個を使用して、フック１１と補強バンド２５とが固定される。補強バンド２５の連結部１９に対する取付け位置は、補強バンド２５のバンド本体上辺３０と支持体の下端５５とが接触するか、近接する位置が好ましい。補強バンドのバンド本体上辺３０と支持体の下端５５とが接触するように補強バンド２５を固定することで、電柱１００に取り付けたとき支持体５３のずり下がりを防止することができる。
【００４１】
フックの屈曲部１７、連結部１９の構造等は、上記実施形態に限定されるものではなく、フック１１に対して補強バンド２５をしっかり固定することができ、支持体５３にフック１１を取付けた状態で補強バンド２５を電柱１００に隙間なく固定することができればよく、屈曲部はなくてもよい。
【００４２】
補強バンド２５は、公知の自在バンドである。この補強バンド２５は、バンド本体２７に複数の係止孔２９を有し、バンド本体２７の一端に取付けられたフックボルト３１の先端部３３をいずれかの係止孔２９に引掛け、フックボルト３１に取り付けられたナット３５を締め込むことでバンドを縮径させることができる。
【００４３】
補強バンド２５は、本実施形態に示すものに限定されず、公知の自在バンドを使用することができる。ただし、自在バンドの中には、予め対象物に挿通させておくことが必要なタイプのものもあるが、ここでは、そのようなタイプの自在バンドは好ましくない。電柱１００に後から取り付け使用することができるタイプの自在バンドが好ましい。
【００４４】
補強金具１の使用方法を説明する。腕金支持金具５１が電柱１００に取付けられていない状態から腕金支持金具５１及び補強金具１を電柱１００に取付けるときは、支持体５３の下連結板６９に補強金具１のフック１１を引掛け、支持体５３を電柱１００に宛がい、固定バンド７７及び補強バンド２５を締付け固定する。その後、腕金５２を腕金取付座７０に差込みボルト止めする。
【００４５】
腕金支持金具５１が既に電柱１００の固定されているときは、補強金具１のフック１１を下連結板６９の上方から電柱１００との隙間Ｌに差し込み、補強バンド２５で固定する。
【００４６】
以上のように本腕金支持金具の補強金具１は、既存の腕金支持金具５１を何ら改良することなく、電柱１００に取付ける前の腕金支持金具５１はもちろん、電柱１００に取付けられた腕金支持金具５１に対しても後から取付け補強することができる。また取付けも安全かつ簡単に行うことができ使い勝手がよい。さらに本腕金支持金具の補強金具１は、電柱１００の全周を包囲する補強バンド２５を電柱１００に取付けることで腕金支持金具５１を補強するので、電柱１００に対する締付力が大きく、腕金支持金具５１の回転を防止又は抑制することができる。さらに本腕金支持金具の補強金具１は、構造が簡単で、市販されている部材をほぼそのまま利用することができるので容易にかつ安価に製作することができる。
【００４７】
図６に本発明の第２実施形態の補強金具２を示す。図１から図５に示す第１実施形態の補強金具１と同一の構成には同一の符号を付して説明を省略する。
【００４８】
補強金具２は、補強金具１と同様にフック１１と補強バンド２６とで構成され、使用方法、作用効果も同じである。補強金具２と補強金具１との違いは、補強バンド２６の形態にあり、フック１１は、補強金具１のフック１１と同様に考えることができる。
【００４９】
補強バンド２６は、支持体５３を固定する固定バンド７７と同様に、左右一対の半円状の帯状のバンド本体２８ａ、２８ｂと該バンド本体２８ａ、２８ｂを締付ける締付ボルト３２からなるバンド径を可変可能な自在バンドである。それぞれのバンド本体２８ａ、２８ｂは、一端部が折り曲げられ締付ボルト３２を取り付けるボルト取付部３６ａ、３６ｂが形成されている。ボルト取付部３６ａ、３６ｂには、締付ボルト３２を挿通させるための挿通孔３８が設けられている。バンド本体２８ａ、２８ｂは、連結ピン３７ａ、３７ｂを介して、フック１１に回動自在に連結される。
【００５０】
本発明に係る腕金支持金具の補強金具は、高圧カットアーム支持金具を含め、支持体と電柱の外周面との間にフックを係止することのできる隙間が形成される腕金支持金具を補強する補強金具として好適に使用することができる。なお、本発明に係る腕金支持金具の補強金具は、上記実施形態に限定されるものではなく、要旨を変更しない範囲で変更して使用することができる。例えば、上記実施形態では、フックの係止部がヘアピン状であったが、フックの係止部は、転倒コ字状であってもよい。また補強バンドは、特定の形状、構造のものに限定されるものではなく、また実質的にバンドとして機能するものであればよく、名称に拘泥されるものではない。
【符号の説明】
【００５１】
１              補強金具
２              補強金具
１１            フック
１３            係止部
１５            係止部の折返し部
２５            補強バンド
２６            補強バンド
２７            バンド本体
２８ａ、２８ｂ  バンド本体
３０            バンド本体上辺
５１            腕金支持金具
５２            腕金
５３            支持体
５５            支持体の下端
５７ａ、５７ｂ  支持片
５９ａ、５９ｂ  支持片の一片
６１ａ、６１ｂ  支持片の他片
６５            上連結板
６９            下連結板
７０            腕金取付座
７３            上仕切板
７５            下仕切板
７７            固定バンド
１００          電柱
１０２          電柱の外周面
【図１】
2015046998.tif 000003
【図２】
2015046998.tif 000004
【図３】
2015046998.tif 000005
【図４】
2015046998.tif 000006
【図５】
2015046998.tif 000007
【図６】
2015046998.tif 000008
【図７】
2015046998.tif 000009